(57)【要約】【課題】インテリア性を高めた薬剤揮散器を提供する。【解決手段】薬剤揮散器１は、上部に開口４０を有する薬剤容器２と、一端側の一部が開口４０から突き出るように他端側の一部が開口４０から薬剤容器２に挿入される１又は複数の揮散体１０とを備える。薬剤容器２は、開口４０を囲む天面４１０を備えており、天面４１０の少なくとも一部は、光を反射する鏡面に形成されている。【選択図】図１
2020156672.tif 000002
【特許請求の範囲】
【請求項１】
上部に開口を有するとともに内部に液状薬剤の収容空間を有する薬剤容器と、
一端側の一部が前記開口から突き出るように他端側の一部が前記開口から前記薬剤容器に挿入される１又は複数の揮散体と、を備え、
前記薬剤容器は、前記開口を囲む天面を備えており、
前記天面の少なくとも一部は、光を反射する鏡面に形成されている、薬剤揮散器。
【請求項２】
前記天面は、金属光沢を有している、請求項１に記載の薬剤揮散器。
【請求項３】
前記天面は、その外周縁から前記開口に向かうに連れて下降するように傾斜している、請求項１又は２に記載の薬剤揮散器。
【請求項４】
前記天面は、その外周縁から前記開口に向かう方向に沿って平坦状をなす又は凹状に湾曲する、請求項３に記載の薬剤揮散器。
【請求項５】
内周面が光を反射する鏡面に形成された光反射壁部が、前記天面の外周縁に立設されている、請求項１〜４のいずれかに記載の薬剤揮散器。
【請求項６】
前記揮散体は、透光性を有する、１〜５のいずれかに記載の薬剤揮散器。
【請求項７】
前記揮散体は、棒状体である、請求項１〜６のいずれかに記載の薬剤揮散器。
【請求項８】
前記揮散体は、外周に長手方向に延びるように形成された少なくとも１つの溝を備える、請求項１〜７のいずれかに記載の薬剤揮散器。
【発明の詳細な説明】
【技術分野】
【０００１】
本発明は、芳香剤、消臭剤などの揮散性を有する液状薬剤を揮散させる薬剤揮散器に関する。
【背景技術】
【０００２】
室内や車内などの空間の臭気による不快感をなくし、快適な空間を生み出すために、液状薬剤を自然に揮散させる薬剤揮散器が広く使用されている。この種の薬剤揮散器として、例えば特許文献１には、液状薬剤を収容した薬剤容器内に棒状の揮散体を複数挿入したものが開示されており、薬剤容器内の液状薬剤を各揮散体により吸い上げて薬剤容器外に揮散することで、芳香効果などを発揮している。揮散体は、木やラタン（籐）などの天然素材、紙、合成樹脂などの素材で形成されるのが一般的である。
【先行技術文献】
【特許文献】
【０００３】
【特許文献１】特開２０１６−１２４６０３号公報
【発明の概要】
【発明が解決しようとする課題】
【０００４】
この種の薬剤揮散器は、リビングや玄関などの人の目に触れる場所に設置される場合が多いため、近年、インテリアとしての薬剤揮散器の美観を高めることがニーズとされている。しかし、上述した素材の揮散体を単に薬剤容器内に挿入しただけでは薬剤揮散器の美観を向上させることができず、インテリア性が不十分であった。
【０００５】
本発明は、上記課題を解決するためになされたものであり、美観を向上させてインテリア性を高めることができる薬剤揮散器を提供することを目的とする。
【課題を解決するための手段】
【０００６】
本発明の薬剤揮散器は、上部に開口を有するとともに内部に液状薬剤の収容空間を有する薬剤容器と、一端側の一部が前記開口から突き出るように他端側の一部が前記開口から前記薬剤容器に挿入される１又は複数の揮散体と、を備え、前記薬剤容器は、前記開口を囲む天面を備えており、前記天面の少なくとも一部は、光を反射する鏡面に形成されていることを特徴とする。
【０００７】
本発明の薬剤揮散器においては、前記天面は、金属光沢を有していることが好ましい。
【０００８】
また、本発明の薬剤揮散器においては、前記天面は、その外周縁から前記開口に向かうに連れて下降するように傾斜していることが好ましい。この態様では、前記天面は、その外周縁から前記開口に向かう方向に沿って平坦状をなす又は凹状に湾曲することが好ましい。
【０００９】
また、本発明の薬剤揮散器においては、内周面が光を反射する鏡面に形成された光反射壁部が、前記天面の外周縁に立設されていることが好ましい。
【００１０】
また、本発明の薬剤揮散器においては、前記揮散体は、透光性を有することが好ましい。
【００１１】
また、本発明の薬剤揮散器においては、前記揮散体は、棒状体であることが好ましい。
【００１２】
また、本発明の薬剤揮散器においては、前記揮散体は、外周に長手方向に延びるように形成された少なくとも１つの溝を備えることが好ましい。
【発明の効果】
【００１３】
本発明によれば、薬剤容器において、揮散体を挿入するための開口の周囲に位置した天面が光を反射する鏡面に形成されているので、照明光や太陽光などの光が天面で効果的に反射する。これにより、揮散体の薬剤容器の開口から上方に突き出た部分に反射光があたり、揮散体が明るく照らされるため、揮散体がキラキラと輝いたように見える。よって、薬剤揮散器の美観を向上でき、薬剤揮散器のインテリア性を高めることができる。
【図面の簡単な説明】
【００１４】
【図１】薬剤揮散器の斜視図である。
【図２】図１の薬剤揮散器の平面図である。
【図３】薬剤容器の断面図である。
【図４】キャップの平面図である。
【図５】薬剤容器の天面で反射した光により揮散体が照射される状態を説明する断面図である。
【図６】揮散体の断面図である。
【図７】薬剤容器の変形例を示す断面図である。
【発明を実施するための形態】
【００１５】
以下、本発明の実施形態について、添付図面を参照して説明する。
【００１６】
図１及び図２に示すように、薬剤揮散器１は、液状薬剤Ｌを収容する薬剤容器２と、薬剤容器２に挿入される１又は複数の揮散体１０とを備えている。揮散体１０は、下端側の一部が薬剤容器２内で液状薬剤Ｌに浸漬する一方で、上端側の一部は薬剤容器２上に露出している。薬剤揮散器１は、薬剤容器２内の液状薬剤Ｌを揮散体１０により吸い上げて薬剤容器２外に揮散することで、薬剤揮散器１が設置された周囲の空間に対して液状薬剤の薬効を発揮する。
【００１７】
液状薬剤Ｌは、揮散性（薬効徐放性）を有し、空気中に徐々に薬剤を揮散することで薬効を奏するものである。液状薬剤Ｌは、例えば芳香剤、消臭剤、防虫剤などを例示することができるが、特に限定されるものではなく、使用目的に応じて、香料、消臭剤成分、防虫剤成分、着色料などを単独又は組み合わせて含ませることができる。液状薬剤Ｌに含まれる溶媒は、使用される添加剤の種類に応じて適宜選択され、親水性溶媒又は親油性溶媒、あるいはこれらの混合物とすることができる。液状薬剤Ｌが香料を含む場合には、その香り強度を高めるために、溶媒として少なくとも親油性溶媒を含むことが好ましい。親水性溶媒としては、例えば、水又はエタノール、あるいはこれらの混合物を使用することができる。親油性溶媒としては、例えば、グリコールエーテル又はイソパラフィン系溶媒、あるいはこれらの混合物を使用することができる。なお、液状薬剤には、香料、消臭成分、防虫成分、着色料などを可溶化させるために、溶解剤が含まれていてもよい。
【００１８】
薬剤容器２は、図１〜図３に示すように、上部に揮散体１０を挿入する開口４０を有し、内部に液状薬剤Ｌの収容空間３０を有する有底の容器である。本実施形態では、薬剤容器２は、収容空間３０を有する容器本体３と、開口４０を有していて容器本体３に着脱自在なキャップ４とで構成されている。
【００１９】
容器本体３は、透明、半透明及び不透明のいずれであってもよく、また、無色及び有色のいずれであってもよい。なお、半透明とは、透明度が完全に透明ではないが、内部を視認することが可能な透明度を有していることをいう。容器本体３が透明又は半透明であると、外部から容器本体３内を視認可能となり、例えば容器本体３内の液状薬剤Ｌの残量を確認することができるので好ましい。容器本体３の材質は、特に限定されるものではなく、例えばガラス製、合成樹脂製、陶器製などにすることができ、美観を考慮して適宜素材が選択される。
【００２０】
容器本体３は、図３に示すように、両端が開口する筒状の首部３１と、中空で底を有する胴部３３と、首部３１及び胴部３３を接続する肩部３２とを備えている。
【００２１】
首部３１は、キャップ４を容器本体３に取り付けた際にキャップ４の内側壁部４３が内側を挿通することが可能な大きさに形成されている。内側壁部４３の上端の開口４０から差し込まれた揮散体１０は、内側壁部４３を通って胴部３３に挿入される。
【００２２】
肩部３２は、首部３１よりも大きい平面視円形状の平坦な上面部３２Ａと、上面部３２Ａの外周縁から垂れ下がる側面部３２Ｂと、側面部３２Ｂに連なる平面視円形状の平坦な下面部３２Ｃとを有している。下面部３２Ｃは、キャップ４を容器本体３に取り付けた際にキャップ４の外側壁部４２が外周縁上に当接することが可能な大きさに形成されている。
【００２３】
なお、容器本体３の形状は、特に限定されるものではなく、液状薬剤Ｌが収容可能でありかつキャップ４を装着可能であれば種々の形状の容器３を用いることができる。例えば、胴部３３の外周面が全周にわたって凹凸が交互に繰り返す凹凸面であってもよい。
【００２４】
キャップ４は、図１〜図４に示すように、中央に開口４０が開いた平面視円形状の上面部４１と、上面部４１の外周縁に一周にわたり設けられた外側壁部４２と、上面部４１の中央において開口４０と連通するように設けられる筒状の内側壁部４３とを備えている。
【００２５】
上面部４１は、所定の幅Ｄを有する環状を呈しており、内側の開口４０を囲んでいる。上面部４１は、外周縁から中央の開口４０に向かうに連れて下降するように傾斜しており、上面部４１の天面４１０は、同様に傾斜した状態で内側壁部４３の内周面４３０と連なっている。上面部４１の天面４１０は、本実施形態では、その外周縁から開口４０に向かう方向に沿って平坦状をなす、つまりは断面視で直線的に延びる平坦面とされている。
【００２６】
外側壁部４２は、上面部４１から下方に突き出ており、下方にいくにしたがって外径が大きくなる逆テーパ状を呈している。外側壁部４２は、キャップ４を容器本体３に取り付けた際に、その下端が容器本体３の肩部３２の下面部３２Ｃの外周縁上に当接する。これにより、容器本体３の首部３１や肩部３２を覆って隠すことができる。
【００２７】
内側壁部４３は、上面部４１から下方に突き出ている。内側壁部４３の内周面４３０は、本実施形態では、上下方向に延びる下側の鉛直面４３０Ａと、鉛直面４３０Ａに連なる上側の傾斜面４３０Ｂとで構成されている。傾斜面４３０Ｂは、上面部４１の天面４１０と連なっており、傾斜面４３０Ｂは、上面部４１の天面４１０よりも急な傾斜角度で鉛直面４３０Ａに向かうに連れて下降するように傾斜している。
【００２８】
内側壁部４３の内周面４３０には、上端側の所定位置に、嵌入部６が周方向に沿って間隔をあけて複数設けられている。本実施形態では、嵌入部６は、内側壁部４３の内周面４３０の傾斜面４３０Ｂ及び鉛直面４３０Ａに跨がって設けられている。なお、嵌入部６は、内側壁部４３の内周面４３０の鉛直面４３０Ａに上下方向に延びるように設けられていてもよい。
【００２９】
嵌入部６は、例えば内側壁部４３の内周面４３０に一部分を凹ませて形成した凹部により構成することができる。開口４０から薬剤容器２に挿入された揮散体１０は、傾斜した状態で内側壁部４３の内周面４３０に立て掛けられる。嵌入部６は、内側壁部４３の内周面４３０において、開口４０から挿入された揮散体１０の全部又は一部が入り込む部分である。各嵌入部６に複数の揮散体１０が散らばって嵌まることで、複数の揮散体１０は内側壁部４３の内周面４３０に沿って移動することが規制される。よって、揮散体１０同士がくっついて密集することを抑制することができる。
【００３０】
凹部の形状は、特に限定されるものではなく、本実施形態では断面視矩形状を呈しているが、例えば断面視でＣ字状、台形状、半円などの円弧状、三角形状など、種々の形状とすることができる。また、嵌入部６は、図示は省略するが、内側壁部４３の内周面４３０から突き出る一対の突起の間の凹部により構成することもできる。突起の形状は、特に限定されるものではなく、例えば断面視で矩形状、台形状、三角形状、半円形状、円形状など、種々の形状とすることができる。また、凹部の幅、深さ及び長さは、特に限定されるものではなく、揮散体１０の太さに応じて適宜設定することができる。
【００３１】
上述した構成のキャップ４は、少なくとも上面部４１の天面４１０の少なくとも一部、好ましくは全部が、光を反射する鏡面に形成されている。ここで、鏡面とは、鏡の面のように物が映るほど平滑であり、光の反射率の高い面を指す。キャップ４は、上面部４１の天面４１０が鏡面に形成されていることで、図５に示すように、照明光や太陽光などの光が天面４１０で効果的に反射し、揮散体１０の薬剤容器２の開口４０から突き出た部分（特に根元部分）に反射光を照射する。これにより、揮散体１０の薬剤容器２の開口４０から突き出た部分（特に根元部分）が光るため、揮散体１０をキラキラと輝いて見せることができる。よって、薬剤揮散器１の美観を向上することができる。天面４１０の全部に鏡面が形成されていると、天面４１０に当たった光を揮散体に多く反射するので好ましい。なお、天面４１０の少なくとも一部に鏡面が形成されている場合は、開口４０付近が鏡面に形成されていると上記効果を発揮しやすい。
【００３２】
天面４１０は、本実施形態では金属光沢を有している。天面４１０が金属光沢を有していることにより、天面４１０によって照明光や太陽光などの光が反射されやすいものとされている。天面４１０の色は特に限定されるものではなく、シルバーやゴールドなど、種々の色にすることができる。天面４１０に色が付けられていると、天面４１０の色を揮散体１０に映すことができるので、薬剤揮散器１の美観をより向上することができる。
【００３３】
天面４１０は、例えばキャップ４の少なくとも上面部４１を金属製とすることで、金属光沢を有する鏡面に形成することができる。その他、キャップ４は例えば合成樹脂製やガラス製であるが、キャップ４の少なくとも上面部４１に金属薄膜層を蒸着、メッキ、転写などの方法で形成したり、キャップ４の少なくとも上面部４１に金属粒子を配合した金属インキを印刷や塗装したり、キャップ４の少なくとも上面部４１に例えば金属箔などの金属光沢を有するシートを貼り付けたりなどすることで、天面４１０を金属光沢のある鏡面に形成することができる。
【００３４】
なお、天面４１０は、必ずしも金属光沢を有する鏡面である必要はなく、例えば合成樹脂製やガラス製のキャップ４の少なくとも上面部４１を鏡面仕上げすることによって、金属光沢を有さない鏡面に形成してもよい。
【００３５】
上面部４１の前記幅Ｄは、特に限定されるものではないが、大きい方が天面４１０によって照明光や太陽光などの光を多く反射させることができるため、２ｍｍ以上であることが好ましく、４ｍｍ以上であることがより好ましく、８ｍｍ以上であることがさらに好ましい。また、上面部４１の前記幅Ｄは、特に限定されるものではないが、前記幅Ｄが大き過ぎると薬剤揮散器１自体が大きくなり、インテリア性に悪影響を及ぼす可能性があるため、５０ｍｍ以下であることが好ましく、２０ｍｍ以下であることがより好ましい。
【００３６】
揮散体１０は、図１及び図２に示すように、長手形状を呈している。長手形状とは、一方向における長さが、前記一方向と直交する方向における長さよりも十分に長い形状をいう。揮散体１０は、本実施形態では細い棒状を呈している。揮散体１０の形状は、特に限定されるものではなく、長手方向に垂直な断面視で円形状、楕円形状、三角形状や四角形状などの多角形状など、種々の形状とすることができる。
【００３７】
なお、揮散体１０は、必ずしも棒状を呈している必要はなく、例えば偏平な板状を呈していてもよいが、幅広の板状体（平板）よりも細い棒状体の方が、外周に平坦な面が少なく、薬剤容器２の天面４１０から反射した光を揮散体１０が受けた際に、曲面や角などの平坦でない部分で光が乱反射して多数の方向に乱れ飛ぶ。そのため、揮散体１０を一層キラキラと輝かせることができる。
【００３８】
揮散体１０の長さ（長手方向の大きさ）は、下端が薬剤容器２の底に達した際に上端側の一部が薬剤容器２の上部の開口４０から突き出る長さであれば、特に限定されるものではなく、薬剤容器２の大きさにもよるが、例えば１１０ｍｍ以上１９０ｍｍ以下とすることができる。
【００３９】
揮散体１０の太さは、特に限定されるものではないが、細い方が揮散体１０を数多く薬剤容器２に挿入することができ、数多くの揮散体１０が薬剤容器２の天面４１０から反射した光を受けてキラキラと輝くため、美観を高める点で好ましい。一方で、揮散体１０が細すぎると折れやすくなるため、揮散体１０の太さは、１．０ｍｍ以上４．０ｍｍ以下とすることが好ましい。なお、揮散体１０の太さは、揮散体１０の長手方向に垂直な断面が内接する円の直径で定義することができる。
【００４０】
揮散体１０は、長手方向に垂直な断面視において、図６に示すように、その外周に揮散体１０の長手方向に延びるように形成された微細な筋状の溝１１を少なくとも１つ備えていることが好ましい。本実施形態では、揮散体１０の外周に、複数の溝１１が周方向に間隔をあけて設けられている。溝１１は、毛細管現象により液状薬剤Ｌを吸い上げることが可能であり、揮散体１０において液状薬剤Ｌを長手方向に吸い上げ可能な流路とすることができる。溝１１の形状は、特に限定されるものではないが、本実施形態では、溝１１の幅が溝の底１１Ａから外部空間側に向かうに連れて徐々に広がる形状を呈している。
【００４１】
また、外周の溝１１により揮散体１０の外面においては光を反射する面が多くなる。これにより、薬剤容器２の天面４１０から反射した光を揮散体１０が受けた際に、光が乱反射して多数の方向に乱れ飛ぶ。そのため、揮散体１０を一層キラキラと輝かせることができる。
【００４２】
揮散体１０の溝１１の幅（溝の底１１Ａにおける幅）Ｗは、特に限定されるものではないが、常温で液状薬剤Ｌを迅速に吸い上げることができるように、０．０１ｍｍ以上０．１５ｍｍ以下とすることが好ましい。また、揮散体１０の溝１１の深さＨは、特に限定されるものではないが、溝１１が深すぎると溝１１の両側の突条１２が折れやすくなる一方で、溝１１が浅すぎると吸い上げることができる液状薬剤Ｌが少なくなるため、０．１ｍｍ以上１．０ｍｍ以下とすることが好ましい。
【００４３】
揮散体１０は、溝１１に代えて又は溝１１に加えて、毛細管現象によって液状薬剤２を吸い上げることが可能な他の流路を備えていてもよい。例えば、揮散体１０を中空構造とすることで、揮散体１０の内部の長手方向に延びる空洞１３を液状薬剤Ｌの流路とすることができる。この場合には、揮散体１０の内周面に微細な溝をさらに設けてもよい。
【００４４】
揮散体１０は、透明な材料で形成されることが好ましい。透明な材料は、無色及び有色のいずれであってもよい。揮散体１０が透明な材料で形成されていることにより、揮散体１０は、光の透過性（透光性）を有する。そのため、図５に示すように、薬剤容器２の天面４１０から反射した光を揮散体１０が受けた際に、揮散体１０に対して手前となる一方側（図５では左側）から照射される光が揮散体１０で反射するだけでなく、揮散体１０に対して奥となる前記一方側と反対の他方側（図５では右側）から照射される光が前記一方側に向けて揮散体１０を透過する。これにより、前記一方側から揮散体１０を見た際に揮散体１０をより強く光らせることができる。
【００４５】
上述した揮散体１０を形成する材料としては、例えばガラスや、透明な樹脂などを用いることができ、透明な樹脂としては、例えばポリカーボネート、アクリル樹脂、ポリプロピレン、ポリエチレン、低密度ポリエチレン、フッ化ビニリデン、ポリアミド、ポリスチレン、塩化ビニルなどを好ましく用いることができる。
【００４６】
揮散体１０は、上述した揮散体１０を形成するための材料を用いて一般的な公知の成形方法（例えば樹脂では押出し成形など、例えばガラスではドロー成形など）により形作ることができる。なお、揮散体１０は、押し出し成形などで形成することで、一本物（１つの棒状体や板状体など）で構成することが好ましく、隙間や孔が全くあるいはほとんどない緻密体とすることが好ましい。これにより、揮散体１０は内部に実質的に液状薬剤Ｌが含浸しないので、揮散体１０が過剰に液状薬剤Ｌを保持した状態になることがなく、薬剤容器２内から液状薬剤Ｌがなくなると、揮散体１０も直ちに保持している液状薬剤Ｌを失うため、使用終期を容易に把握することができる。また、揮散体１０において、外周の溝１１や内部の空洞１２以外に液状薬剤Ｌが通る流路をなくすことができるので、揮散体１０による液状薬剤Ｌの吸い上げ速度を所望の設定速度に保持することができる。
【００４７】
なお、揮散体１０の材質は特に限定されるものではなく、揮散体１０は、上述した材料以外で形成されてもよい。例えば、従来から揮散体１０に用いられている公知の材料、例えばラタン、木、ドライ加工された植物、ポリマー繊維などで揮散体１０を形成してもよい。ポリマー繊維の素材としては、液状薬剤Ｌを揮散できる素材であれば特に限定されるものではないが、例えば、ナイロン、ポリエステル、アクリル、ビニロン、ポリオレフィン（ポリプロピレン、ポリエチレン等）、ポリウレタンなどの合成繊維を好ましく用いることができる。なお、耐熱性、耐薬性の観点から、ポリエステル又はポリウレタンの繊維を使用することが好ましい。
【００４８】
以上、上述した構成の本実施形態の薬剤揮散器１によれば、薬剤容器２において、揮散体１０を挿入するための開口４０の周囲に位置した天面４１０が光を反射する鏡面に形成されているので、照明光や太陽光などの光が天面４１０で効果的に反射する。これにより、揮散体１０の薬剤容器２の開口４０から突き出た部分（特に根元部分）に反射光があたり、揮散体１０が明るく照らされるため、揮散体１０がキラキラと輝いたように見える。よって、薬剤揮散器１の美観を向上でき、薬剤揮散器１のインテリア性を高めることができる。
【００４９】
また、本実施形態の薬剤揮散器１によれば、揮散体１０に反射光を照射する天面４１０が金属光沢を有しているので、天面４１０によって光が反射されやすくなる。これにより、天面４１０からの反射光によって揮散体１０をより強く光らせることができ、薬剤揮散器１の美観を向上できる。加えて、天面４１０の金属光沢によって薬剤揮散器１を、高級感を持たせた外観とすることができる。よって、薬剤揮散器１のインテリア性をさらに高めることができる。
【００５０】
また、本実施形態の薬剤揮散器１によれば、揮散体１０に反射光を照射する天面４１０が中央の開口４０に向かうに連れて下降するように傾斜しているので、様々な方向からの光が天面４１０によって揮散体１０の方向に反射されるため、反射された光が、天面４１０の内側の揮散体１０の方に集まりやすい。これにより、天面４１０からの反射光によって揮散体１０をより強く光らせることができ、薬剤揮散器１の美観を向上できる。よって、薬剤揮散器１のインテリア性をさらに高めることができる。なお、天面４１０はその外周縁から開口４０に向かう方向に沿って平坦状をなすことで、天面４１０によって反射された光を高効率で揮散体１０に向けて集光することができる。
【００５１】
また、本実施形態の薬剤揮散器１によれば、揮散体１０が透光性を有しているので、揮散体１０が天面４１０から反射した光を受けた際に、当該光を反射だけでなく透過させることができる。これにより、天面４１０からの反射光によって揮散体１０をより強く光らせることができ、薬剤揮散器１の美観を向上できる。よって、薬剤揮散器１のインテリア性をさらに高めることができる。
【００５２】
また、本実施形態の薬剤揮散器１によれば、揮散体１０が細い棒状体であるので、外周に平坦な面が少ない。これにより、揮散体１０が天面４１０からの反射光を受けた際に、曲面や角などの平坦でない部分で光を乱反射させることができ、揮散体１０を一層キラキラと輝かせることができる。よって、薬剤揮散器１のインテリア性をさらに高めることができる。
【００５３】
また、本実施形態の薬剤揮散器１によれば、揮散体１０が外周に溝１１を備えているので、揮散体１０の外面においては光を反射する面が多くなる。これにより、揮散体１０が天面４１０からの反射光を受けた際に、溝１１で光を乱反射させることができ、揮散体１０を一層キラキラと輝かせることができる。よって、薬剤揮散器１のインテリア性をさらに高めることができる。
【００５４】
以上、本発明の一実施形態について説明したが、本発明は上記実施形態に限定されるものではなく、その趣旨を逸脱しない限りにおいて、種々の変更が可能である。
【００５５】
例えば、上記実施形態では、天面４１０を開口４０に向かうに連れて下降するように傾斜させるにあたり、天面４１０を平坦面としている。しかし、図７（Ａ）に示すように、天面４１０を、その外周縁から開口４０に向かう方向に沿って凹状に湾曲する凹面としてもよく、これによっても天面４１０によって反射された光を高効率で内側の揮散体１０に向けて集光することができる。なお、天面４１０は、その外周縁から開口４０に向かう方向に沿って凸状に湾曲する凸面としてもよい。
【００５６】
また、上記実施形態では、天面４１０を開口４０に向かうに連れて下降するように傾斜させているが、天面４１０は必ずしも傾斜面とされている必要はなく、天面４１０の外周縁から開口４０に向かう方向に沿って水平に延びて内側壁部４３の鉛直面４３０Ａと垂直をなす水平面としてもよい。なお、天面４１０を水平面とする場合には、図７（Ｂ）に示すように、光反射壁部４４を天面４１０の外周縁に設けることが好ましい。
【００５７】
光反射壁部４４は、上面部４１の外周縁に、上面部４１から上方に突き出るようにして一周にわたり設けられている。また、光反射壁部４４は、少なくとも内周面４４０が光を反射する鏡面に形成されている。内周面４４０を鏡面とする方法は、天面４１０と同様である。
【００５８】
内周面が鏡面に形成された光反射壁部４４が天面４１０の外周縁に立設されていることで、照明光や太陽光などの光が光反射壁部４４の内周面４４０及び上面部４１の天面４１０の順で反射したり、上面部４１の天面４１０で反射した後に光反射壁部４４の内周面４４０で反射したりするので、光を高効率で内側の揮散体１０に向けて集光することができる。よって、揮散体１０をより強く光らせることができ、薬剤揮散器１の美観を向上できるので、薬剤揮散器１のインテリア性をさらに高めることができる。
【００５９】
なお、光反射壁部４４を天面４１０の外周縁に立設した図７（Ｂ）の実施形態においても、天面４１０を開口４０に向かうに連れて下降するように傾斜させてもよい。
【００６０】
また、上記実施形態では、キャップ４の内側壁部４３の内壁面４３０は上側に傾斜面４３０Ｂを含むが、内壁面４３０は鉛直面４３０Ａのみで構成されていてもよい。
【００６１】
また、上記実施形態では、薬剤容器２が容器本体３及びキャップ４で構成され、揮散体１０を挿入するための開口４０及び開口４０を囲む天面４１０がキャップ４に備えられているが、薬剤容器２を容器本体３のみで構成してもよい。その場合は、例えば容器本体３の首部３１の上端の開口から揮散体１０を容器本体３内に挿入するようにし、当該開口を囲む首部３１の上端面又は肩部３２の上面部３２Ａの上面を天面として、当該天面を鏡面に形成するなど、揮散体１０を挿入するための開口及び開口を囲む天面を容器本体３に備えさせることができる。
【符号の説明】
【００６２】
１      薬剤揮散器
２      薬剤容器
３      容器本体
４      キャップ
１０    揮散体
１１    溝
３０    収容空間
４０    開口
４４    光反射壁部
４１０  天面
４４０  内周面
Ｌ      液状薬剤
【図１】
2020156672.tif 000003
【図２】
2020156672.tif 000004
【図３】
2020156672.tif 000005
【図４】
2020156672.tif 000006
【図５】
2020156672.tif 000007
【図６】
2020156672.tif 000008
【図７】
2020156672.tif 000009